(57)【特許請求の範囲】
【請求項１】
装飾部材と、躯体に固定する装飾部材取付具と、固定ねじとを備え、装飾部材は躯体側に突設した固定部を有し、固定部は被係合部と、前後方向に貫通する固定ねじの挿通孔とを有し、装飾部材取付具は、躯体に当接し且つ固定ねじの挿通孔を有する基板部と、基板部の前方に設けた係合部とを有し、被係合部を係合部に上から係合することにより、装飾部材が左右方向に外れるのを規制し且つ左右方向の位置が調整自在であると共に、前後方向に外れるのを規制してあり、固定部の固定ねじ挿通孔を挿通した固定ねじで装飾部材を躯体に固定してあることを特徴とする装飾体。
【発明の詳細な説明】
【技術分野】
【０００１】
本発明は、躯体に取付ける装飾体に関する。
【背景技術】
【０００２】
一般に、建物の外壁（躯体）に鋳物飾り（装飾体）を取付ける場合、躯体に予め設けてある木製下地材を探し、装飾体の取付け位置を定めて躯体表面に装飾体のねじ止め箇所をマーキングし、装飾体の各箇所を下地材にねじ固定していた（従来技術１）。近年、外壁にタイルやサイディングを張ることが多く、例えばタイル施工の場合には、下地材は、建物の下図を元に職人の感で探していた。
また、特許文献１には、躯体にねじ固定した装飾部材取付具の係合部に、装飾部材を上から係合して装飾部材の前後の移動を規制し且つ左右方向の位置を調整自在に係合自在としてあり、装飾部材取付具から離れた位置で装飾部材を固定ねじで躯体に固定することが開示されている。
【０００３】
【特許文献１】特開２０００−６４５５９号公報
【発明の開示】
【発明が解決しようとする課題】
【０００４】
しかし、従来技術１では、装飾体の取付け位置を定めるときに、装飾体を片手で支えながら、上下左右にずらして位置決めし、固定する箇所毎に躯体表面にマーキングし、下穴を開け、下穴をシーリング処理した後、ねじ止めするが、不自然な姿勢で作業することになるので、作業し難いと共に施工に手間がかかるという問題がある。
また、施工現場では下地材の位置が分かり難いため、万が一、下地材のないところにねじ止めした際には、ねじの経年劣化により製品が脱落するおそれがある。
これに対して、特許文献１の技術では、躯体に装飾部材取付具を取付けた後、装飾部材を装飾部材取付具に係合した状態で、左右位置の調整や装飾部材をねじ止めできるので、従来技術１のような作業性や施工性の問題には解消できるが、装飾部材の左右位置を調整するときに、装飾部材を左右にずらし過ぎると、装飾部材が取付具の左右から外れて落下するおそれがある。
また、特許文献１の技術では、装飾部材取付具をねじ固定した箇所とは別の箇所で装飾部材を躯体にねじ固定しているので、固定作業をする箇所が分散するから作業し難いと共に、ねじ止め用の下地材が躯体の所定箇所にのみ設けられている場合には、下地材の位置が分かり難い為に、装飾部材取付具をねじ固定する下地材の他に装飾部材をねじ固定する下地材を探さなければならないという問題がある。
【０００５】
そこで、本発明は、装飾部材の取付け作業において、装飾部材の左右位置調整が可能で且つ装飾部材の落下を防止して係合できると共に、装飾部材取付具の固定箇所と装飾部材を躯体にねじ止めする箇所とを集約できる装飾体の提供を目的とする。
【課題を解決するための手段】
【０００６】
請求項１に記載の発明は、装飾部材と、躯体に固定する装飾部材取付具と、固定ねじとを備え、装飾部材は躯体側に突設した固定部を有し、固定部は被係合部と、前後方向に貫通する固定ねじの挿通孔とを有し、装飾部材取付具は、躯体に当接し且つ固定ねじの挿通孔を有する基板部と、基板部の前方に設けた係合部とを有し、被係合部を係合部に上から係合することにより、装飾部材が左右方向に外れるのを規制し且つ左右方向の位置が調整自在であると共に、前後方向に外れるのを規制してあり、固定部の固定ねじ挿通孔を挿通した固定ねじで装飾部材を躯体に固定してあることを特徴とする。
【発明の効果】
【０００７】
請求項１に記載の発明によれば、装飾部材の固定部を装飾部材取付具に上から係合することにより、装飾部材を装飾部材取付具に係合したときに、装飾部材の左右方向の位置調整ができ、しかも装飾部材の前後左右からの脱落を防止できる。
装飾部材の固定部に設けた固定ねじの挿通孔と装飾部材取付具の基板部に設けた固定ねじの挿通孔に、固定ねじを挿通して躯体にねじ止めしているので、装飾部材の固定箇所が装飾部材取付具の範囲内にあるから、装飾部材取付具の固定箇所と装飾部材の固定箇所とを集約でき、作業性が良い。また、例えば、ねじ止め用の下地材が躯体の限られた箇所にある場合でも、装飾部材取付具を固定した下地材を、装飾部材を固定する下地材としても用いることができるので、装飾部材取付具を固定した下地材の他に装飾部材を固定する為の下地材を探したり、予め別途下地材を設けてなくて済む。
【発明を実施するための最良の形態】
【０００８】
以下に、添付図面を参照して本発明の実施の形態を説明するが、まず、図１〜図５を参照して本発明の第１実施の形態について説明する。図１は第１実施の形態に係る装飾体であって図３のＣ−Ｃ位置で切断して示す分解斜視図であり、図２は第１実施の形態に係る装飾体であって図３のＣ−Ｃ位置で切断して示す図であり、（ａ）は正面図であり、（ｂ）は（ａ）のＥ−Ｅ断面図であり、（ｃ）は（ａ）のＦ−Ｆ断面図であり、図３は第１実施の形態に係る装飾体を図５のＡ−Ａ位置で切断して示す断面図であり、図４は第１実施の形態に係る装飾体を図５のＢ−Ｂ位置で切断して示す断面図であり、図５は第１実施の形態に係る装飾体を躯体に固定した状態であってタイルを省略して示した正面図である。
【０００９】
第１実施の形態に係る装飾体１は、図５に示すように、建物の躯体（外壁）２に取付けるものであり、本実施の形態では妻飾りである。装飾体１は、装飾部材３と、躯体２に固定する装飾部材取付具（以下単に「取付具」という）５と、固定ねじ７とを備えている。
装飾部材３は、図３〜図５に示すように、滑らかな湾曲線で立体的にデザインされた装飾本体９と、装飾本体９から躯体側（後側）に突設した上下２つの固定部１１、１１とが設けられており、装飾部材３は鋳造により作られたものである。本実施の形態では、２つの固定部１１、１１は鉛直線上の２箇所に設けてあり、それぞれ躯体２の対応する位置に固定した取付具５、５に固定されている。２つの固定部１１、１１は同じ構成であり、躯体に固定した上下の取付具５，５も同じ構成であるから、以下の説明では、上の固定部１１と上の取付具５についてのみ説明する。
図１及び図２に示すように、装飾部材３の固定部１１には、固定部１１を突設方向（前後方向）に貫通するねじ挿通孔１３が形成されている。ねじ挿通孔１３内には前後方向の途中から孔径を小さくしてあり固定ねじ７の頭７ａを受けて係止する係止部１３ａが形成されている。
固定部１１の下部１１ｄには、取付具５に上から係合する被係合部１５が設けてある。被係合部１５は左右に長い板材であり、略中央部を固定部１１の先端にねじ１７で固定してある。
また、固定部１１の前端面１１ａには、左右に面積を広くした補助面１１ｂが形成してある。
【００１０】
取付具５は、板金製であり、躯体２に配置する基板部１９と、基板部１９の前方に設けた突設部２１及び係合部２３とを備えている。基板部１９は、装飾部材３の固定部１１を固定したときに固定部１１の前端面１１ａが当接するものであり、上部にねじ２５で躯体２に固定するねじ挿通孔２７を有し、ねじ挿通孔２７の下に固定ねじ７の挿通孔２９を有している。
固定ねじ挿通孔２９は、固定ねじ７の径よりも大きな孔径を有しており、固定ねじ７の位置を上下左右に位置調製できるようになっている。
突設部２１は基板部１９の下端から前方に突設してあり、図１に示すように、突設部２１の前端から２つの係合部２３、２３が間隔Ｈを開けて且つ上方に突設して設けてあり、図２（ａ）（ｃ）に示すように、２つの係合部２３、２３間に固定部１１の下部分１１ｄが位置している。２つの係合部２３、２３間の間隔Ｈは、固定部１１の下部分１１ｄの幅よりも広くなっており、下部分１１ｄが係合部２３、２３間の寸法Ｈ内で左右の位置調整できるようになっている。本実施の形態では、係合部２３、２３が互いに対向する面が、外れ防止部２２ａ、２２ｂになっており、装飾部材３の位置を調整するときに固定部１１を左右にずらし過ぎると固定部１１の下部分１１ｄが外れ防止部２２ａ、２２ｂに当接して、取付具５から脱落するのを防止する（図１参照）。
尚、取付具５の基板部１９と躯体２との間には、金物用パッキン３１が配置されている。
躯体２は、本実施の形態では建物の外壁であり、その所定位置には上下に下地材３３が配置されており、取付具５のねじ２５及び固定部１１の固定ねじ７は各々同じ下地材３３にねじ止めされている。
【００１１】
次に、本実施の形態に係る装飾体１の躯体２への取付け、作用及び効果について説明する。
躯体２の壁面にタイル３５（図１参照）を施工する前に、躯体の壁面に取付具５を固定する。取付具５の固定は、下地材３３がある位置（例えば、予めマーキングしたり、叩いた音の変化で見つける）に基板部１９を配置してねじ２５を基板部１９のねじ挿通孔２７に通して下地材３３に固定する。
一方、装飾部材３には、固定部１１の下部１１ｄに被係合部１５をねじ１７で固定しておく。
次に、装飾部材３を取付具５に上方から係合して、基板部１９と係合部２３との間に固定部１１の被係合部１５を配置する。
装飾部材３を取付具５に係合することにより、被係合部１５は基板部１９と係合部２３、２３との間に位置して、固定部１１の前後の移動が規制されて前側に脱落するのが防止されると共に、固定部１１の下部１１ｄは左右にある外れ防止部２２ａ、２２ｂにより左右方向からの外れが規制されて左右方向からの脱落が防止される。
次に、装飾部材３を取付具５に係合して装飾部材３を取付具５に預けた状態で、固定部１１の位置を、２つの係合部２３、２３間で上下左右に調整し、位置を決めしたところで、固定部１１のねじ挿通孔１３に固定ねじ７を挿通して前側からドライバーで締め付けて、固定部１１の前端面１１ａを基板部１９に当接させて固定する。
【００１２】
本実施の形態によれば、装飾部材３の固定具を取付具５に上から係合したときに、取付具５の係合部２３、２３は、外れ防止部２２ａ、２２ｂにより、固定部１１の前後左右方向の移動を規制するので、装飾部材の脱落を防止できる。
装飾部材３を取付具５に係合して装飾部材３を取付具５に預けた状態で、装飾部材３の固定部１１を係合部２３、２３間の区間Ｈ内で左右方向に移動自在であるから、左右方向の位置調節ができる。また、固定部１１の左右に係合部２３、２３があるので、左右方向に位置にずらそうとして力が入り過ぎた場合でも、取付具５から固定部１１が脱落することを防止できる。
尚、本実施の形態では、取付具５の基板部１９に設けた固定ねじ挿通孔２９を上下に大きく形成してあるから、上下方向の位置調整もできる。
取付具５の基板部１９に設けたねじ挿通孔２９に固定ねじ７を挿通して装飾部材３をねじ止めしているので、取付具５を固定するねじ２５のねじ止め箇所と、装飾部材３を固定する固定ねじ７のねじ止め箇所とを基板板１９の範囲内に集約できるので作業性が良い。特に、下地材３３が躯体２の限られた箇所にある場合でも、取付具５のねじ２５を固定した下地材３３の箇所と装飾部材３の固定ねじ７を固定する箇所を基板１９の範囲内に集約しているので、同じ下地材３３にねじ止めでき、装飾部材３を固定する為の下地材を取付具用の下地材３３とは別に探したり、予め別途下地材を設けてなくて済む。
本実施の形態では、装飾部材３には上下の固定部１１、１１を鉛直線上に配置してあるので、各固定部１１、１１を上下に配置した同じ下地材３３に固定することができ、各固定部１１、１１に対応する下地材３３を捜さないで済むので施工しやすい。
固定部１１の先端面１１ａには、左右に補助面１１ｄを設けて左右における基板部１９との当接面積を広くしているので、装飾部材３の横ぶれを防止できる。
装飾部材３は、被係合１５を取付具５の係合部２３に係合した状態で固定ねじ７により躯体２に固定してあるので、仮に経年劣化等により固定ねじ７が緩んでも装飾部材３は取付具５に係合した状態になっているので装飾部材３の落下を防止できる。
装飾部材３には躯体側（後側）に突設する固定部１１を設け、この固定部１１に設けた固定ねじ挿通孔１３内に固定ねじ７の頭７ａを配置しているので、前側から固定ねじ７や取付具５が見え難く、外観が良い。
２箇所の固定部１１、１１は一直線上にあるから、装飾体３の取付け位置の位置出しがし易い。また、上下に配置した一本の下地材３３にねじ固定できるので、胴縁等の下地材を利用すれば装飾部材用の下地材を別途設けなくて済む。
【００１３】
次に、図６を参照して、本発明の第２実施の形態を説明するが、以下に説明する他の実施の形態では、上述した第１実施の形態と同一の作用効果を奏する部分には同一の符号を付することによりその部分の詳細な説明を省略し、以下の説明では、主に異なる点を説明する。図６において、（ａ）は第２実施の形態に係る装飾体において、装飾部材の固定部を切断して示す装飾体の分解斜視図であり、（ｂ）は（ａ）に示す装飾体の縦断面図である。
第２実施の形態では、装飾部材３の固定部１１の前端面１１ａを略円形にしている。また、固定部１１の被係合部１５は下面に形成した溝としてあり、取付具５には左右の係合部２３、２３間に上方に突設した中間係合部３７が設けてある。
この第２実施の形態では、取付具５に対する装飾部材３の係合は、固定部１１を取付具５に上から係合して、下面に形成した溝状の被係合部１５を中間係合部３７ｂに係合する。
この第２実施の形態では、第１実施の形態にあった補助面１１ｂがないので補助面１１ｂによる効果を除き、第１実施の形態と同様な効果を得ることができる。
更に、第２実施の形態では、被係合部１５は固定部に形成した溝としているので、被係合部１５を装飾部材３の鋳造時に同時に形成することもでき、被係合部１５の形成が容易にできると共に第１実施の形態よりも部品点数を少なくできる。
図７を参照して、本発明の第３実施の形態を説明するが、図７は第３実施の形態に係る装飾体において、装飾部材の固定部を切断して示す装飾体の分解斜視図である。
この第３実施の形態では、上述した第２実施の形態において、取付具５に設ける係合部２３を一つとしてあり、装飾部材３の固定部１１に設けた溝状の被係合部１５は、左右方向の中央部１５ｃの溝を深く形成した段状の溝にしてある。この第３実施の形態では、被係合部１５の左右にある段部が外れ防止部２２ａ、２２ｂになっており、被係合部１５を係合部２３に係合して、左右位置を調整するときに左右にずらし過ぎると、いずれかの外れ防止部２２ａ、２２ｂが係合部２３に当接して左右の移動を規制する。
【００１４】
本発明は、上述した実施の形態に限らず、本発明の要旨を逸脱しない範囲で種々変形可能である。
例えば、取付具５は、躯体２のタイル３５面に取付けることに限らず、モルタルやサイディング壁に取付けるものであっても良く、モルタルやサイディング壁の場合には、その施工後に取付けるものであっても良い。
装飾体は、妻飾りに限らず、その他の飾り金物であっても良い。
【図面の簡単な説明】
【００１５】
【図１】第１実施の形態に係る装飾体であって装飾部材を図３のＣ−Ｃ位置で切断して示す分解斜視図である。
【図２】第１実施の形態に係る装飾体であって装飾部材を図３のＣ−Ｃ位置で切断して示す図であり、（ａ）は正面図であり、（ｂ）は（ａ）のＥ−Ｅ断面図であり、（ｃ）は（ａ）のＦ−Ｆ断面図である。
【図３】第１実施の形態に係る装飾体を図５のＡ−Ａ位置で切断して示す断面図である。
【図４】第１実施の形態に係る装飾体を図５のＢ−Ｂ位置で切断して示す断面図である。
【図５】第１実施の形態に係る装飾体を躯体に固定した状態であってタイルを省略して示す正面図である。
【図６】第２実施の形態に係る装飾体であって、（ａ）は固定部を切断して示す装飾体の分解斜視図であり、（ｂ）は縦断面図である。
【図７】第３実施の形態に係る装飾体において、装飾部材の固定部を切断して示す装飾体の分解斜視図である。
【符号の説明】
【００１６】
１      装飾体
２      躯体
３      装飾部材
５      取付具（装飾部材取付具）
７      固定ねじ
１１    固定部
１３    固定ねじ挿通孔
１５    被係合部
１９    基板部
２３    係合部
３７    中間係合部（係合部）
【図１】
0005280700.tif 000002
【図２】
0005280700.tif 000003
【図３】
0005280700.tif 000004
【図４】
0005280700.tif 000005
【図５】
0005280700.tif 000006
【図６】
0005280700.tif 000007
【図７】
0005280700.tif 000008